(57)【要約】  本発明は、モデムボックス、スプリットモジュール及び統合アクセス装置に関する。モデムボックスは、中央装置の少なくとも１つについて変調された中央信号を介し中央装置と接続するためのアップサイド通信手段と、ターミナル信号を介しターミナル装置とモデムボックスとを接続するダウンサイド通信手段と、アップサイド通信手段とダウン再度通信手段との間の転送手段と、ターミナル信号のうち復調された信号と中央信号との間の変換を実行するモデム手段とを有する。モデムボックスは、中央信号と当該中央信号の多重化により構成されるグループ化された信号との間の変換を実行するスプリットモジュールを受け付ける外部接触面を有し、アップサイド通信手段は、スプリットモジュールの少なくとも１つの接続要素と接触する接触面により調製される少なくとも１つの接続要素を有する。
2008517503.tif 000002
【特許請求の範囲】
【請求項１】
当該モデムボックスと少なくとも２つの中央装置とを、当該モデムボックスと変調される前記中央装置の少なくとも１つとの間で通信される前記中央装置と当該モデムボックスとの間の中央信号を介し、接続するためのアップサイド通信手段であって、前記中央装置とそれぞれ接続される少なくとも２つのアップサイド通信ポイントを有するアップサイド通信手段と、
当該モデムボックスと少なくとも２つのターミナル装置とを、前記ターミナル装置と当該モデムボックスとの間のターミナル信号を介し、接続するためのダウンサイド通信手段であって、前記ターミナル装置とそれぞれ接続される少なくとも２つのダウンサイド通信ポイントを有するダウンサイド通信手段と、
当該モデムボックスにおける前記アップサイド通信ポイントと前記ダウンサイド通信ポイントとの間の信号の内部転送を実行する転送手段と、
前記変調された中央信号と、前記ターミナル信号のうちの復調された信号との間の変換を実行するモデム手段と、
を有するモデムボックスであって、
当該モデムボックスは、前記中央信号と該中央信号の多重化により構成されるグループ化された信号との間の変換を実行可能なスプリットモジュールを受け付けるための外部接触面を有し、
前記アップサイド通信手段は、前記外部接触面により調製され、前記アップサイド通信ポイントを有し、前記スプリットモジュールの少なくとも１つの各接続要素と接触するため設けられる少なくとも１つの接続要素を有する、モデムボックス。
【請求項２】
前記外部接触面は、当該モデムボックス内で前記スプリットモジュールを受け付けるためのキャビティを形成するよう当該モデムボックスにおいて構成される、請求項１記載のモデムボックス。
【請求項３】
前記転送手段は、前記ダウンサイド通信ポイントの１つと前記アップサイド通信ポイントの少なくとも２つとを接続するため設けられる、請求項１又は２記載のモデムボックス。
【請求項４】
前記転送手段は、前記アップサイド通信ポイントの１つと前記ダウンサイド通信ポイントの少なくとも２つとを接続するため設けられる、請求項１乃至３何れか一項記載のモデムボックス。
【請求項５】
前記アップサイド通信ポイントは、各周波数帯による中央信号について設けられる、請求項１乃至４何れか一項記載のモデムボックス。
【請求項６】
前記アップサイド通信ポイントの少なくとも２つは、ＤＳＬ（Ｄｉｇｉｔａｌ  Ｓｕｂｓｃｒｉｂｅｒ  Ｌｉｎｅ）信号と、効果的にはＰＳＴＮ／ＩＳＤＮ（Ｐｕｂｌｉｃ  Ｓｗｉｔｃｈｅｄ  Ｔｅｌｅｐｈｏｎｅ  Ｎｅｔｗｏｒｋ／Ｉｎｔｅｇｒａｔｅｄ  Ｓｅｒｖｉｃｅｓ  Ｄｉｇｉｔａｌ  Ｎｅｔｗｏｒｋ）信号から選ばれた電話サービス信号とについてそれぞれ設けられ、
前記モデム手段が、前記ＤＳＬ信号について設けられる、請求項１乃至５何れか一項記載のモデムボックス。
【請求項７】
前記ＤＳＬ信号は、音声ＤＳＬ信号を有し、
前記ダウンサイド通信ポイントの少なくとも１つは、音声信号について設けられ、
前記転送手段は、音声信号のための前記ダウンサイド通信ポイントと、ＤＳＬ信号及び電話サービス信号のための前記アップサイド通信ポイントとの間の前記電話サービス信号と前記音声ＤＳＬ信号との転送を実行する、請求項６記載のモデムボックス。
【請求項８】
当該スプリットモジュールと少なくとも２つの中央装置とを、当該スプリットモジュールと変調される前記中央装置の少なくとも１つとの間で通信される各中央装置に関する中央信号の多重化により構成されるグループ化された信号を介し、接続するためのアップサイド通信手段であって、前記中央装置と接続されるアップサイド通信ポイントを有するアップサイド通信手段と、
当該スプリットモジュールと少なくとも２つのターミナル装置とを前記中央信号を介し接続するためのダウンサイド通信手段であって、前記変調された中央信号に係るダウンサイド通信ポイントがモデムボックスを介し前記ターミナル装置の少なくとも１つに接続される、それぞれ前記中央装置に対する少なくとも２つのダウンサイド通信ポイントを有するダウンサイド通信手段と、
前記アップサイド通信ポイントにおける前記グループ化された信号と前記ダウンサイド通信ポイントにおける前記中央信号との間の変換を実行するスプリット手段と、
を有するスプリットモジュールであって、
当該スプリットモジュールは、前記モデムボックスの外部接触面に対向して配置される外部接触面を有し、
前記ダウンサイド通信手段は、当該スプリットモジュールの外部接触面により調製され、前記ダウンサイド通信ポイントを有し、前記モデムボックスの少なくとも１つの各接続要素と接触するため設けられる少なくとも１つの接続要素を有し、
当該スプリットモジュールは、好ましくは、請求項１乃至７何れか一項記載のモデムボックスと協調するため設けられる、スプリットモジュール。
【請求項９】
当該スプリットモジュールは、フィルタリング手段を有する、請求項８記載のスプリットモジュール。
【請求項１０】
請求項１乃至７何れか一項記載のモデムボックスと、
前記モデムボックスと協調可能な請求項８又は９記載のスプリットモジュールと、
前記スプリットモジュールと前記モデムボックスとの整合性を維持しながら、前記スプリットモジュールを前記モデムボックスに固定し、前記スプリットモジュールと前記モデムボックスとを分離することを可能にする維持手段と、
を有する統合アクセス装置。
【発明の詳細な説明】
【発明の詳細な説明】
【０００１】
本発明は、モデムボックス、スプリットモジュール及び統合アクセス装置に関する。
【０００２】
音声サービスをＣＰＥ（Ｃｏｎｓｕｍｅｒ  Ｐｒｅｍｉｓｅｓ  Ｅｑｕｉｐｍｅｎｔ）に配信する際、音声は従来のＰＳＴＮ／ＩＳＤＮ（Ｐｕｂｌｉｃ  Ｓｗｉｔｃｈｅｄ  Ｔｅｌｅｐｈｏｎｅ  Ｎｅｔｗｏｒｋ／Ｉｎｔｅｇｒａｔｅｄ  Ｓｅｒｖｉｃｅｓ  Ｄｉｇｉｔａｌ  Ｎｅｔｗｏｒｋ）周波数帯を介しＰＳＴＮ交換センター（ＣＯ（Ｃｅｎｔｒａｌ  Ｏｆｆｉｃｅ））から伝送することが可能であるか、又はＤＳＬ（Ｄｉｇｉｔａｌ  Ｓｕｂｓｃｒｉｂｅｒ  Ｌｉｎｅ）周波数帯を介しＤＳＬＡＭ（ＤＳＬ  Ａｃｃｅｓｓ  Ｍｕｌｔｉｐｌｅｘｅｒ）から符号化形式により伝送することが可能である。ＰＳＴＮ／ＩＳＤＮとＤＳＬ信号との間のローカル干渉を回避するため、それらが同一の物理ライン（通常は、ツイストペア）を介し搬送されるとき、スプリッタが一般にＣＰＥにおいて使用される。
【０００３】
このとき、２種類の信号を分離することが可能であり、ＰＳＴＮ／ＩＳＤＮ及びＤＳＬ（一般にブロードバンド）信号が、典型的には、電話及びモデムにそれぞれ誘導される。このとき、モデムは復調された信号をＬＡＮ（Ｌｏｃａｌ  Ａｒｅａ  Ｎｅｔｗｏｒｋ）ネットワークに出力するのに使用される。
【０００４】
信号がＣＰＥからＣＯ及び／又はＤＳＬＡＭに送信されるときには、逆の処理が実行される。
【０００５】
一部のモデムは、入力されたＤＳＬ信号から復調されたＬＡＮと電話信号の両方を出力することができるよう設けられる。さらに、このタイプのモデムは、スプリッタによって前に分離されたＰＳＴＮ／ＩＳＤＮ信号とＤＳＬ信号にそれぞれ対応する２つの入力と、ＬＡＮ信号と電話信号をそれぞれ提供する２つの出力とを有するかもしれない。このような実現形態では、電話信号はＰＳＴＮ／ＩＳＤＮ信号又はＤＳＬ信号の何れかからくるかもしれない。
【０００６】
しかしながら、これらの広範なインストールは、別々のスプリッタが必要とされ、一方がＤＳＬ信号を、他方がＰＳＴＮ／ＩＳＤＮ音声信号を含む２つの物理インタフェース／ケーブルが公衆ネットワークに対してスプリッタを介し接続される必要があるため、退屈な処理と面倒な接続を伴う。
【０００７】
受信したグループ化された信号からＤＳＬ信号とＰＳＴＮ／ＩＳＤＮ信号を提供する他のシステムが、開発及び販売されてきた。それらは、組み込まれたスプリット機能を一体化した統合アクセス装置（ＩＡＤ）から構成される。
【０００８】
これは、スプリッタを必要としないため、特に効果的であることがわかっており、ユーザにとってより実際的かつ快適なものである。しかしながら、ＩＡＤは所定のエリアとオペレータについてのみ利用可能である。すなわち、具体的な要求に依存して、異なる装置が製造及び使用されるべきである。
【０００９】
これらの制約は、個別の仕様に製品を適応させねばならないメーカーだけでなく、ユーザにとっても厄介であるかもしれない。実際、オペレータを変更し、又は複数のオペレータに同一のＩＡＤを使用することを所望する場合、又は移動させる必要がある場合、ＩＡＤは動作不能となるかもしれない。
【００１０】
このような状況を救済するため、特にソフトウェアオプションを介して、各国とオペレータとの間の標準化の合意を進めることによって、ＩＡＤ装置のフレキシビリティを向上させることが魅力的である。しかしながら、これは負担と時間を要し、おそらく部分的な結果しかもたらさない。
【００１１】
本発明は、製品の広範な製造を可能にし、一方ではユーザフレンドリーかつ実践的なシステムと、他方では各国及び各オペレータによりフレキシブルな利用をユーザに同時に提供することが可能な統合アクセス装置に関する。
【００１２】
本発明はまた、対応するモデムボックスとスプリットモジュールに関する。
【００１３】
本発明は特に、ＬＡＮとＰＯＴＳ（Ｐｌａｉｎ  Ｏｌｄ  Ｔｅｌｅｐｈｏｎｅ  Ｓｅｒｖｉｃｅ）サービスの両方を提供する居住及び企業環境の分野に適用される。
【００１４】
このため、本発明はまず、
・当該モデムボックスと少なくとも２つの中央装置とを、当該モデムボックスと変調される前記中央装置の少なくとも１つとの間で通信される前記中央装置と当該モデムボックスとの間の中央信号を介し、接続するためのアップサイド通信手段であって、前記中央装置とそれぞれ接続される少なくとも２つのアップサイド通信ポイントを有するアップサイド通信手段と、
・当該モデムボックスと少なくとも２つのターミナル装置とを、前記ターミナル装置と当該モデムボックスとの間のターミナル信号を介し、接続するためのダウンサイド通信手段であって、前記ターミナル装置とそれぞれ接続される少なくとも２つのダウンサイド通信ポイントを有するダウンサイド通信手段と、
・当該モデムボックスにおける前記アップサイド通信ポイントと前記ダウンサイド通信ポイントとの間の信号の内部転送を実行する転送手段と、
・前記変調された中央信号と、前記ターミナル信号のうちの復調された信号との間の変換を実行するモデム手段と、
を有するモデムボックスに関する。
【００１５】
本発明によると、当該モデムボックスは、前記中央信号と該中央信号の多重化により構成されるグループ化された信号との間の変換を実行可能なスプリットモジュールを受け付けるための外部接触面を有する。さらに、前記アップサイド通信手段は、前記外部接触面により調製され、前記アップサイド通信ポイントを有し、前記スプリットモジュールの少なくとも１つの各接続要素と接触するため設けられる少なくとも１つの接続要素を有する。
【００１６】
このため、ＩＡＤを構成するため、独立したモデムボックスとスプリットモジュールとが規定される。スプリットモジュールは、可能なシンプルな取り外しなくボックス内に組み込まれず、ボックスから完全には独立でなく、厄介で面倒な装置による問題を生じさせる。他方、スプリットモジュールは、一方ではボックスの接続要素と外部接触面との協調と、他方ではスプリットモジュールとそれの接続要素の構成によって、ユーザによりモデムボックスに自由に配置及び取り外し可能である。
【００１７】
当該手段は、組み込まれたスプリッタによるよりフレキシブルなＩＡＤを取得するための予想される負担に対する驚くべき代替を提供する。スプリットモジュールがモデムボックスに配置されると、その全体は、取り扱いが容易であり、スプリット機能による面倒な接続を回避するグローバルなエンティティを構成可能であるため、ユーザにとって大変実践的なものとなる。従って、それは、統合されたスプリット機能を有するＩＡＤのすべての効果を提供するかもしれない。
【００１８】
しかしながら、これに対して、それは、オペレータ及び／又は国のフレキシブルな変更を大変容易に提供し、セグメント化された製造の代わりに大規模製造を構成することを可能にするかもしれない。実際、変調及び復調処理が通常採用されるため、モデムボックス自体が特定のオペレータ及び国から通常独立し、又は少なくとも互いに互換性を有することが観察可能である。このため、国やオペレータによってセグメント化されるスプリット処理及び可能性のある関連する機能を除いて、モデムボックスにおける必要とされるすべてのＩＡＤコンポーネントをグループ化し、それを大規模に製造することが可能である。
【００１９】
グループ化された信号の接続タイプと（すなわち、公衆ネットワークとの接続）、スプリット処理のタイプとに応じたスプリットモジュールに関して、それはより低い適応されたボリュームにより製造可能であり、異なるオペレータ及び国に対する要求に応じることが可能である。何れにしても、このスプリットモジュールは、単なる小さなアクセサリとして提供することが可能であり、メーカーにとっては完全なＩＡＤより製造することがはるかに容易かつ安価であり、エンドユーザにとっては完全なＩＡＤより搬送及び格納することがはるかに実際的かつ安価である。
【００２０】
実際、スプリットモジュールは、ＲＪ−１１やＲＪ−４５などの標準的なコネクタ、ＰＯＴＳ／ＩＳＤＮ又はＤＳＬタイプのスプリット機能、国に依存したローパスフィルタなどを選択的に統合してもよい。
【００２１】
以上より、本発明の以下の効果が好適な実施例により獲得される。
・１つの物理ケーブル／インタフェースのみしか必要でない。ユーザは公衆ネットワークとの１つのみの接続しか有しない。
・スプリットモジュールは、便宜的にＩＡＤに統合され（モデムボックスの内部に、又は少なくとも部分的に外部的にそれと接触して）、ユーザは、スプリッタをインストール及びプラグする必要がなくなる。
・特に、モデムボックスの大規模製造とスプリットモジュールの対象とされる製造の観点から、モデムボックスとスプリットモジュールの分離した製造が可能となる。
【００２２】
好適な実施例では、前記外部接触面は、当該モデムボックス内で前記スプリットモジュールを受け付けるためのキャビティを形成するよう当該モデムボックスにおいて構成される。
【００２３】
このように、結合されたモデムボックスとスプリットモジュールは、公衆ネットワーク（中央装置と接続する）との接続のためのスプリットモジュールのインタフェースに対応する制限されたエリアを除いて、モデムボックスの境界によって区切られたコンパクトなエンティティを構成するかもしれない。これは、配置されると、独立したスプリットモジュールの存在がユーザに透過になるため、特にユーザフレンドリーであり、利用が快適となることがわかる。さらに、スプリットモジュールは、ユーザに対するモデムボックスによるセキュア化を容易に可能にするかもしれない。
【００２４】
他の実施例では、外部接触面は、当該接触面とスプリットモジュールの面との間の外部接触を可能にするため、モデムボックスの外部境界に配置される。双方の間の確実なセキュア化手段の存在がより重要になる。
【００２５】
転送手段に関する好適な実施例では、前記転送手段は、前記ダウンサイド通信ポイントの１つと前記アップサイド通信ポイントの少なくとも２つとを接続するため設けられる。
【００２６】
これは、特に公衆ネットワーク側においてＤＳＬ信号とＰＳＴＮ／ＩＳＤＮ信号を有し、ユーザ装置側において１つのライン上でグループ化された導出された電話信号を有するため興味深いものである。その後、電話機から公衆ネットワークに向けられた信号は、モデムボックスにおいて効果的に特定され、中央オフィスに送信されるべきＰＳＴＮ／ＩＳＤＮ信号として処理されるか、変調され、ＤＳＬＡＭに送信される音声ＤＳＬ信号として処理される。
【００２７】
転送手段に関する他の効果的な実施例では（好ましくは、上記のものと互換性を有する）、前記転送手段は、前記アップサイド通信ポイントの１つと前記ダウンサイド通信ポイントの少なくとも２つとを接続するため設けられる。
【００２８】
これは、特に公衆ネットワーク側においてＷＡＮ（Ｗｉｄｅ  Ａｒｅａ  Ｎｅｔｗｏｒｋ）ＤＳＬ信号を有し、ユーザ装置側において導出されたＬＡＮ及び電話信号を有するため興味深いものである。
【００２９】
好ましくは、前記アップサイド通信ポイントは、各周波数帯による中央信号について設けられる。
【００３０】
このような状況では、２以上の中央信号に分割することによるグループ化された信号の共有化は、それが干渉問題による悪影響を受けることを回避するため、特に有用である。
【００３１】
好適な実現では、前記アップサイド通信ポイントの少なくとも２つは、ＤＳＬ（Ｄｉｇｉｔａｌ  Ｓｕｂｓｃｒｉｂｅｒ  Ｌｉｎｅ）信号と、効果的にはＰＳＴＮ／ＩＳＤＮ（Ｐｕｂｌｉｃ  Ｓｗｉｔｃｈｅｄ  Ｔｅｌｅｐｈｏｎｅ  Ｎｅｔｗｏｒｋ／Ｉｎｔｅｇｒａｔｅｄ  Ｓｅｒｖｉｃｅｓ  Ｄｉｇｉｔａｌ  Ｎｅｔｗｏｒｋ）信号から選ばれた電話サービス信号とについてそれぞれ設けられ、前記モデム手段が、前記ＤＳＬ信号について設けられる。
【００３２】
このとき、前記ＤＳＬ信号は、音声ＤＳＬ信号を有し、前記ダウンサイド通信ポイントの少なくとも１つは、音声信号について設けられ、前記転送手段は、音声信号のための前記ダウンサイド通信ポイントと、ＤＳＬ信号及び電話サービス信号のための前記アップサイド通信ポイントとの間の前記電話サービス信号と前記音声ＤＳＬ信号との転送を実行することが効果的である。
【００３３】
“音声ＤＳＬ信号”という用語は、公衆ネットワーク側における変調信号だけでなく、ＤＳＬ信号に対応する、すなわち、公衆ネットワークから消費者装置への方向での復調及び抽出によって導出され、ＬＡＮ信号との合成及び反対方向への変調によって統合された消費者装置側における音声信号もまたカバーするものとして解釈されるべきである。
【００３４】
本発明はさらに、
・当該スプリットモジュールと少なくとも２つの中央装置とを、当該スプリットモジュールと変調される前記中央装置の少なくとも１つとの間で通信される各中央装置に関する中央信号の多重化により構成されるグループ化された信号を介し、接続するためのアップサイド通信手段であって、前記中央装置と接続されるアップサイド通信ポイントを有するアップサイド通信手段と、
・当該スプリットモジュールと少なくとも２つのターミナル装置とを前記中央信号を介し接続するためのダウンサイド通信手段であって、前記変調された中央信号に係るダウンサイド通信ポイントがモデムボックスを介し前記ターミナル装置の少なくとも１つに接続される、それぞれ前記中央装置に対する少なくとも２つのダウンサイド通信ポイントを有するダウンサイド通信手段と、
・前記アップサイド通信ポイントにおける前記グループ化された信号と前記ダウンサイド通信ポイントにおける前記中央信号との間の変換を実行するスプリット手段と、
を有するスプリットモジュールに関する。
【００３５】
本発明によると、当該スプリットモジュールは、前記モデムボックスの外部接触面に対向して配置される外部接触面を有し、前記ダウンサイド通信手段は、当該スプリットモジュールの外部接触面により調製され、前記ダウンサイド通信ポイントを有する少なくとも１つの接続要素を有する。当該接続要素は、前記モデムボックスの少なくとも１つの各接続要素と接触するため設けられる。
【００３６】
当該スプリットモジュールは、好ましくは、モデムボックスの実施例の何れかと協調するため設けられる。
【００３７】
好適な実施例では、当該スプリットモジュールは、フィルタリング手段を有する。
【００３８】
フィルタリング手段は、ここではそれぞれＬＰＦ及びＨＰＦフィルタとして示されるローパス及び／又はハイパスフィルタを有することが可能である。効果的には、各フィルタリング手段は、各種ダウンサイド通信ポイントについてスプリット手段の下流に（すなわち、スプリット手段とダウンサイド通信手段との間に）配置される。
【００３９】
このため、ダウンサイド通信ポイントが、それぞれＰＯＴＳ信号とＤＳＬ信号（中央信号）に係るフィルタリング手段の好適な実施例では、
・ＬＰＦフィルタがＰＯＴＳ信号について設けられ、ＤＳＬ信号についてはフィルタは設けられず、
・あるいは、ＬＲＦフィルタがＰＯＴＳ信号について設けられ、ＨＰＦフィルタがＤＳＬ信号について設けられる。
【００４０】
また、本発明は、本発明の何れか互換的な実施例によるモデムボックスと、前記モデムボックスと協調可能なスプリットモジュールと、前記スプリットモジュールと前記モデムボックスとの整合性を維持しながら、前記スプリットモジュールを前記モデムボックスに固定し、前記スプリットモジュールと前記モデムボックスとを分離することを可能にする維持手段とを有する統合アクセス装置に関する。
【００４１】
図２及び３において、表示された各ブロックは、必ずしも物理的分離したエンティティに対応しない純粋に機能的なエンティティである。すなわち、それらはソフトウェアの形式により実現可能であり、又は１以上の集積回路により実現可能である。さらに、図１〜３及び図６について、物理要素のサイズは簡単化のため意図的に考慮されていない。
【００４２】
さらに、一般的な数字による記法は、関連する実施例を参照する文字（Ａ又はＢ）によって確実に記載され、一般的な文字による記法は、ある実施例における関連するエンティティを参照する数字（１又は２）によって確実に記載され、アポストロフィは、モデムボックスの各要素に対応するスプリットモジュールの各要素を確実に区別する。とにかく、同様の要素はまた、便宜上同様の参照記号によって参照されるかもしれない。
【００４３】
居住又は企業環境１０（図１）は、少なくとも１つの電話機と、コンピュータ６などを有するローカルエリアネットワーク（又はＬＡＮ）５を有する。それは、公衆ネットワーク７を介して、ＰＳＴＮ／ＩＳＤＮ音声信号のための中央オフィス（又はＣＯ）と、ＤＳＬ信号のためのＤＳＬアクセスマルチプレクサ（又はＤＳＬＡＭ）とを有する中央装置に接続される。これらの信号は、通常のツイストペアにより構成される通信媒体を介し結合して通信される。
【００４４】
一方では公衆ネットワーク７とのリンクと、他方では電話機４やＬＡＮ５が、第１実施例では３Ａにより記載されるＩＡＤ３により接続される。ＩＡＤ３は、一方の方向では受信した合成されたＰＳＴＮ／ＩＳＤＮ信号とＤＳＬ信号から音声信号とＬＡＮ信号を生成し、逆方向では音声信号とＬＡＮ信号から公衆ネットワーク７宛の合成されたＰＳＴＮ／ＩＳＤＮ信号とＤＳＬ信号を生成することを可能にする。
【００４５】
ＩＡＤ３は、公衆ネットワーク７から消費者装置への方向については以下の処理（及び反対方向には対応する反対の処理）を実行することが可能である。
・ＰＳＴＮ／ＩＳＤＮ信号とＤＳＬ信号の分離
・ＤＳＬ信号の復調
・ＤＳＬ信号からの音声ＤＳＬ信号とＬＡＮ信号の抽出
・電話機４に係る出力への音声ＤＳＬ信号とＰＳＴＮ／ＩＳＤＮ信号の伝送と、ＬＡＮ５に係る他の出力へのＬＡＮ信号の伝送
ＩＡＤ３Ａは、本実施例では、それぞれ１Ａ及び２Ａにより参照されるモデムボックス１とスプリッタ２とを実質的に有する。スプリッタ２Ａは、公衆ネットワーク７から受信した信号をＤＳＬ信号とＰＳＴＮ／ＩＳＤＮ信号に分割するためのものである。モデムボックス１Ａは、モデム１１によってＤＳＬ信号を復調し、取得した復調された信号から音声ＤＳＬ信号とＬＡＮ信号を抽出する機能を有する。それはまた、電話機４とＬＡＮ５宛のそれぞれの適切な出力に信号を伝送するのに設けられている。
【００４６】
モデムボックス１とスプリッタ２にはまた、反対方向に対する対応するすべての機能が設けられ、これは、以下の記載において非明示的である。
【００４７】
モデムボックス１Ａとスプリットモジュール２Ａがより詳細に開示される（図２〜５）。簡単化のため、ＣＯ及びＤＳＬＡＭにより構成される２つの中央装置をそれぞれＣ１及びＣ２により参照し、ＬＡＮ５及び電話機４にそれぞれ対応するターミナル装置をＴ１及びＴ２により参照する。
【００４８】
モデムボックス１Ａは、モデム１１に加えて、スプリッタ２ＡからのＤＳＬ信号とＰＳＴＮ／ＩＳＤＮ信号とを受信するアップサイド通信モジュール１２を有する（図２）。アップサイド通信モジュール１２は、２つの中央装置Ｃ１及びＣ２（すなわち、ＰＳＴＮ／ＩＳＤＮ信号とＤＳＬ信号）にそれぞれ係る２つのアップサイド通信ポイントＵＣＰ１及びＵＣＰ２に設けられた接続要素１７を有する。接続要素１７は、スプリッタ２Ａの対応する接続要素と接触するよう意図される。
【００４９】
モデムボックス１Ａはまた、ＬＡＮ信号と音声信号をそれぞれターミナル装置Ｔ１及びＴ２に送信するダウンサイド通信モジュール１３を有する。それは、２つのターミナル装置Ｔ１及びＴ２にそれぞれ係る２つのダウンサイド通信ポイントＤＣＰ１及びＤＣＰ２を有する。
【００５０】
また、モデムボックス１Ａにおいて、モデム１１の上流及び下流（“上流”及び“下流”は、公衆ネットワーク７から消費者装置への方向について規定されている）にそれぞれアップサイド通信ポイントＵＣＰ１及びＵＣＰ２からダウンサイド通信ポイントＤＣＰ１及びＤＣＰ２に信号を伝送するための転送モジュール１４及び１５が設けられている。
【００５１】
より詳細には、動作について、転送モジュール１４は、ＤＳＬ信号をモデム１１に伝送し、ＰＳＴＮ／ＩＳＤＮ信号をダウンサイド通信ポイントＤＣＰ２（電話機４のため）に伝送し、転送モジュール１５は、ＬＡＮ信号と音声ＤＳＬ信号とから構成されるＤＳＬ信号から導出された復調された信号をそれぞれダウンサイド通信ポイントＤＣＰ１及びＤＣＰ２に伝送する。
【００５２】
アップサイド通信モジュール１２のレベルでは、キャビティ（ｃａｖｉｔｙ）１８がモデムボックス１Ａに形成され、外部接触面１６により区切られている。このキャビティ１８は、内部でスプリッタ２Ａを受け付けるよう構成される。さらに、スプリッタ２Ａが設置されるとき、モデムボックス１Ａの接続要素１７は、スプリッタ２Ａの接続要素と接触し、これにより、スプリッタ２ＡからのＰＳＴＮ／ＩＳＤＮ信号とＤＳＬ信号は、モデムボックス１Ａのアップサイド通信ポイントＵＣＰ１及びＵＣＰ２に直接転送される。
【００５３】
スプリッタ２Ａ（図３）は、受信した多重化信号を分離されたＰＳＴＮ／ＩＳＤＮ信号とＤＳＬ信号に分割する（及び反対方向では、合成処理を実行する）スプリットユニット２１を有する。それはまた、合成された信号を受信するアップサイド通信ポイントＵＣＰ’に設けられたアップサイド通信モジュール２２と、合成された信号から導出されたＰＳＴＮ／ＩＳＤＮ信号とＤＳＬ信号をそれぞれ出力するダウンサイド通信ポイントＤＣＰ１’とＤＣＰ２’に設けられたダウンサイド通信モジュール２３とを有する。
【００５４】
ダウンサイド通信ポイントＤＣＰ１’とＤＣＰ２’は、スプリッタ２Ａがキャビティ１８内にあるとき、モデムボックス１Ａの接続要素と接触するため設けられるダウンサイド通信モジュール２３の接続要素２７によって支持される。このポジションでは、スプリッタ２Ａは、モデムボックス１Ａの外部接触面１６に部分的に対向して配置される外部接触面２６を有する。
【００５５】
スプリッタ２Ａはまた、スプリットユニット２１の下流にローパスフィルタモジュール２４を有する。このフィルタモジュール２４は、実際には、ＬＰＦフィルタ（ＰＳＴＮ／ＩＳＤＮ信号）とＨＰＦフィルタ（ＤＳＬ信号）からそれぞれ構成されるダウンサイド通信ポイントＤＣＰ１’及びＤＣＰ２’とスプリットユニット２１との間の分割されたパス上にそれぞれ配置される２つのフィルタコンポーネントから構成される。変形となる実施例では、フィルタモジュール２４は、ダウンサイド通信ポイントＤＣＰ１’のためのＬＰＦフィルタのみを有し、ダウンサイド通信ポイントＤＣＰ２’のためのフィルタを有しない。
【００５６】
ＩＡＤ３Ａのモデムボックス１Ａとスプリッタ２Ａが、より具体的な例により詳述される（図４及び５）。
【００５７】
第１の例では（図４）、モデムボックス１Ａ（図１Ａ）は、それぞれＤＣＰ２Ａ−１とＤＣＰ２Ａ−２により示される電話機のための２つのダウンサイド通信ポイントＤＣＰ２を有する。それらは、ＦＸＳ（Ｆｏｒｅｉｇｎ  ｅＸｃｈａｎｇｅ  Ｓｕｂｓｃｒｉｂｅｒ）を構成する。それはまた、ＬＡＮインタフェースＤＣＰ１Ａの形式によるダウンサイド通信ポイントＤＣＰ１を有する。キャビティ１８は、１７Ａにより参照されるメスコネクタＸにより構成されるそれの接続要素１７を有する矩形の開口１８Ａである。モデムボックス１Ａは、対象とされる国とオペレータの両方から独立している。
【００５８】
スプリッタ２Ａは、特定の国とオペレータに適応されたフィルタコンポーネント（フィルタモジュール２４）と電子スプリッタ（スプリットユニット２１）を有するメインボード５１を有する。メインボード５１は開口１８Ａに挿入されるよう設けられ、開口１８Ａ内部の接触面１６と部分的に接触するよう配置される。スプリッタ２Ａは、２６Ａにより記されるそれの接触面２６を有する。例えば、メインボード５１は、開口１８ＡＳの内部のスライダにより維持される。（このとき、メインボード５１のエッジは接触面２６Ａの一部となり、スライダの内部部分は接触面１６の一部となる。）
ＵＣＰ’Ａにより記されるスプリッタ２Ａのアップサイド通信ポイントＵＣＰ’は、それぞれＤＳＬ信号とＰＳＴＮ／ＩＳＤＮ信号のための合成されたＷＡＮ（Ｗｉｄｅ  Ａｒｅａ  Ｎｅｔｗｏｒｋ）とＦＸＯ（Ｆｏｒｅｉｇｎ  ｅＸｃｈａｎｇｅ  Ｏｆｆｉｃｅ）インタフェースの形式を有する。それは、対象とされる国の具体的な接続タイプに依存して、対応するオスコネクタ３０に適応されるメスＲＪ−１１又はＲＪ−４５コネクタなどのアップサイド通信モジュール２２のコネクタによって支持される。
【００５９】
スプリッタ２Ａはまた、モデムボックス１ＡのメスコネクタＸと協調可能な２７Ａにより参照されるオスコネクタＸの形式による接続要素２７を有する。
【００６０】
それらの構成により、モデムボックス１Ａは対象とされる国やオペレータから独立し、スプリッタ２Ａはそれに依存する。スプリッタ２Ａが開口１８Ａの内部に配置されるとき、モデムボックス１Ａとスプリッタ２Ａは一緒になって、所望される国（国々）及びオペレータに適応され、それのＷＡＮ／ＦＸＯインタフェースとそれのＦＸＳ及びＬＡＮインタフェースを有するコンパクトな装置としてＩＡＤ３Ａを構成する。
【００６１】
ＩＡＤ３Ａの他の具体的な実施例では（図５）、モデムボックス１Ａは、スプリッタ２Ａを受け付けるための開口に設けられたバックパネル４２に搭載されたメインボード４１を有する。モデムボックス１Ａはまた、（特に）ＬＡＮコネクタ４３とパワーコネクタ４４とを有する。スプリッタ２Ａの開口４５の周囲には、モデムボックス１Ａのスプリッタ２Ａにおける駆動の制限を規定するコネクタ１７Ａの形式による接続要素１７と共に、スプリッタ２Ａを挿入するための２つのサイドスライダ３１Ａ及び３２Ａがさらに構成される。
【００６２】
スプリッタ２Ａには、電子スプリッタ及びフィルタコンポーネントを含むそれのモジュールボード５１と、バックパネル５２と、ブロック２２Ａの形式によるアップサイド通信モジュール２２と（図５に図示されない接続装置２７と）が設けられている。スプリッタ２Ａが配置されるとき、それのメインボード５１は、スライダ３１Ａ及び３２Ａとコネクタ１７Ａとの間に固定され、それのバックパネル５２はモデムボックス１Ａのバックパネル４２の開口４５に配置される。
【００６３】
３Ｂにより示されるＩＡＤ３の第２実施例では（図６）、それぞれ１Ｂ及び２Ｂにより示されるモデムボックス１とスプリッタ２は、モデムボックス１へのスプリッタ２の挿入なく協調する。その代わりに、モデム１Ｂ及びスプリッタ２Ｂは、互いに対向して配置され、これにより、各接続要素１７と２７との間の接触を可能にする同じサイズのフラット面としての各自のフラット接触面１６及び２６を有する。
【００６４】
ＩＡＤ３は、結合されたポジションにおいてモデムボックス１Ｂとスプリッタ２Ｂを維持するサイド付属物３１Ｂ及び３２Ｂ（キャッチやユーザにとって便利な他の通常の維持手段など）を有する。
【図面の簡単な説明】
【００６５】
【図１】図１は、居住／企業環境においてモデムボックスとスプリットモジュールとを有する本発明による統合アクセス装置（ＩＡＤ）の第１実施例のブロック図である。
【図２】図２は、図１のモデムボックスを詳述するブロック図である。
【図３】図３は、図１のスプリットモジュールを詳述するブロック図である。
【図４】図４は、図１のＩＡＤの実現形態の斜視図である。
【図５】図５は、図１のＩＡＤの他の実現形態における図２のモデムボックスと図３のスプリットモジュールの一部のパーツを詳述する。
【図６】図６は、本発明によるＩＡＤの第２実施例を概略的に示す。
【図１】
2008517503.tif 000003
【図２】
2008517503.tif 000004
【図３】
2008517503.tif 000005
【図４】
2008517503.tif 000006
【図５】
2008517503.tif 000007
【図６】
2008517503.tif 000008
【国際調査報告】
2008517503.tif 000009
2008517503.tif 000010